(57)【要約】  【課題】電源コードおよびコード引出口の磨耗を抑制できる電気掃除機を提供する。  【解決手段】電源コード13の少なくとも一部を掃除機本体１の外部に引き出し可能にするコード引出口36を備え、掃除機本体１に対して電源コード13の引き出し方向が変化可能なコード口カバー23を設けることで、電源コード13の引き出しにコード口カバー23が追従し、電源コード13の引き出しの際の電源コード13とコード引出口36との磨耗を抑制できる。  【選択図】図１
2005137483.tif 000002
【特許請求の範囲】
【請求項１】
電動送風機を収容した掃除機本体と、
この掃除機本体に収容され、前記電動送風機に電力を供給する電源コードと、
この電源コードの少なくとも一部を前記掃除機本体の外部に引き出し可能にするコード引出口を備え、前記掃除機本体に対して前記電源コードの引き出し方向が変化可能なコード引出部と
を具備したことを特徴とした電気掃除機。
【請求項２】
コード引出部は、掃除機本体に対する回動により電源コードの引き出し方向を変化可能である
ことを特徴とした請求項１記載の電気掃除機。
【請求項３】
コード引出部は、コード引出口に回転自在に設けられた回転部材を備え、
この回転部材は、前記コード引出部の回動軸と一体に設けられている
ことを特徴とした請求項２記載の電気掃除機。
【請求項４】
コード引出部は、掃除機本体に対する摺動により電源コードの引き出し方向を変化可能である
ことを特徴とした請求項１記載の電気掃除機。
【請求項５】
コード引出部は、
掃除機本体に対する摺動を規制する規制軸と、
コード引出口に回転自在に設けられた回転部材とを備え、
この回転部材は、前記規制軸と一体に設けられている
ことを特徴とした請求項４記載の電気掃除機。
【請求項６】
電源コードを掃除機本体に収容可能にする巻取部と、
この巻取部にて前記電源コードを前記掃除機本体に収容する際に、コード引出部の位置を所定位置に復帰させる位置復帰部材と
を具備したことを特徴とした請求項１ないし５いずれか一記載の電気掃除機。
【発明の詳細な説明】
【技術分野】
【０００１】
本発明は、電動送風機に電力を供給する電源コードを備えた電気掃除機に関する。
【背景技術】
【０００２】
従来、この種の電気掃除機は、電動送風機を収容した掃除機本体を備えている。この掃除機本体内には、電動送風機に商用交流電源などの電源から電力を供給する電源コードが、コードリールに巻回されて収容されている。この電源コードは、掃除機本体の後部に設けられたコード引出口から掃除機本体の外部に導出可能となっている。このコード引出口は、掃除機本体の後方向に向けて略水平に開口形成されている（例えば、特許文献１参照。）。
【特許文献１】特開２００３−１９００４７号公報（第２−６頁、図１１）
【発明の開示】
【発明が解決しようとする課題】
【０００３】
一般に、電源コードは斜め上方向などに引っ張られるが、上述の電気掃除機では、コード引出口が掃除機本体に対して後方向に向けて略水平に開口されていることにより、電源コードとコード引出口とが互いに接触し、磨耗するおそれがあるという問題点を有している。
【０００４】
本発明は、このような点に鑑みなされたもので、電源コードおよびコード引出口の磨耗を抑制できる電気掃除機を提供することを目的とする。
【課題を解決するための手段】
【０００５】
本発明は、電動送風機に電力を供給する電源コードの少なくとも一部を掃除機本体の外部に引き出し可能にするコード引出口を備え、掃除機本体に対して電源コードの引き出し方向が変化可能なコード引出部を具備したものである。そして、電源コードの少なくとも一部を掃除機本体の外部に引き出し可能にするコード引出口を備えたコード引出部を、掃除機本体に対して電源コードの引き出し方向が変化可能とすることで、電源コードの引き出しの際の電源コードとコード引出口との磨耗を抑制する。
【発明の効果】
【０００６】
本発明によれば、コード引出口を備えたコード引出部を、掃除機本体に対して電源コードの引き出し方向が変化可能とすることで、電源コードの引き出しの際の電源コードとコード引出口との磨耗を抑制できる。
【発明を実施するための最良の形態】
【０００７】
以下、本発明の第１の実施の形態の電気掃除機の構成を図１ないし図４を参照して説明する。
【０００８】
図２ないし図４において、１は掃除機本体で、この掃除機本体１の内部には、電動送風機２が収容されている。この掃除機本体１は、いわゆるキャニスタ型の電気掃除機であり、電動送風機２の駆動にて生じる吸気風とともに吸い込んだ塵埃を捕捉して集塵する。
【０００９】
また、掃除機本体１の前側略中央には、外部から空気を吸引する本体吸込口３が開口されている。この本体吸込口３には、湾曲可能な細長略円筒状の接続管としてのホース体４が連通接続されている。このホース体４の先端には、電動送風機２の動作モードなどが選択可能な手元操作部５が設けられている。さらに、この手元操作部５には、掃除機本体１内の電動送風機２などの駆動状態を所定の状態に設定する複数の設定ボタン６が設けられているとともに、掃除する際に作業者が把持する把持部７が基端側に突設されている。
【００１０】
そして、手元操作部５の先端には、伸縮可能な細長略円筒状の延長管８が着脱可能に連通接続されている。また、この延長管８の先端には、例えば室内の床面の絨毯などの上に設置させて、この絨毯上の塵埃を吸い込む床ブラシ９が着脱可能に連通接続されている。
【００１１】
掃除機本体１は、図１および図２に示すように、例えばＡＢＳ(Acrylonitrile Butadiene Styrene)などの合成樹脂で成形された本体上ケース11と本体下ケース12とを備えている。また、掃除機本体１内には、電動送風機２の側方に、電源コード13を巻回した巻取部としての巻き枠であるコードリール14が内部に収容されている。
【００１２】
また、本体上ケース11の後部には、複数の排気孔15が格子状に穿設されている。これら排気孔15は、電動送風機２の後方に位置し、この電動送風機２からの排気を掃除機本体１の外部に排気するものである。
【００１３】
さらに、本体上ケース11の後部には、角孔状の引出部取付口21が穿設され、この引出部取付口21には、コード引出部としてのコード口カバー23が設けられている。
【００１４】
引出部取付口21は、本体上ケース11の幅方向の一側近傍であるコードリール14の後方、かつ掃除機本体１の上側寄りの位置に設けられている。この引出部取付口21は、本体上ケース11の上部に亘って切り欠き形成されている。
【００１５】
コード口カバー23は、合成樹脂などで略角筒状に成形され、上下方向に沿って互いに平行に形成された一対の側面部31，31と、前後方向に沿って水平に形成された上面部32および下面部33と、この下面部33に連続して設けられた傾斜曲面部34とを備えている。そして、一対の側面部31，31、上面部32および下面部33により四角形状の後端開口35がコード口カバー23の後端部に形成され、一対の側面部31，31、上面部32および傾斜曲面部34により電源コード13を掃除機本体１の外部に導出可能にする四角形状のコード引出口36がコード口カバー23の前端部に形成されている。
【００１６】
一対の側面部31，31は、掃除機本体１の幅方向に互いに離間され、引出部取付口21の両側部にそれぞれ位置している。
【００１７】
上面部32は、両側面部31，31の上端部に連続して設けられている。また、この上面部32は、引出部取付口21の上部から離間されている。さらに、この上面部32の上部には、閉塞板部37が一体に設けられている。
【００１８】
この閉塞板部37は、前方向に向けて上方向に円弧状に湾曲して設けられている。また、この閉塞板部37は、上面部32の上側から一対の側面部31，31の上端部に亘って一体に設けられている。そして、この閉塞板部37は、引出部取付口21の内側面に摺接し、コード口カバー23の上部と引出部取付口21の上部との隙間を閉塞するものである。
【００１９】
下面部33は、一対の側面部31，31の下端部に連続して設けられ、上面部32に対して平行となっている。また、この下面部33は、コード口カバー23の後端部から、前後方向の中心域まで延設されている。
【００２０】
傾斜曲面部34は、下面部33の前端部から前方向に向けて上方向に円弧状に湾曲して約４５°傾斜している。言い換えると、傾斜曲面部34は、コード口カバー23の前端部から後方に向けて下方へと約４５°傾斜している。すなわち、コード口カバー23は、後方に向けて拡開されている。このため、電源コード13の先端部に設けられたプラグ部38が、コード口カバー23から引き出しやすくなっている。
【００２１】
また、この傾斜曲面部34の前端部であるコード引出口36の外周縁部の下部には、回転部材42が回転自在に設けられている。この回転部材42は、コード引出口36の幅方向全体に亘って設けられている。そして、この回転部材42は、コード引出口36から掃除機本体１の外部に導出された電源コード13の引き出しおよび巻き取りにより電源コード13の外側部と接触して回転し、電源コード13の磨耗を防止するものである。
【００２２】
また、この回転部材42には、コード口カバー23を掃除機本体１に対して回動可能に保持する回動軸43が同軸状に一体に設けられている。この回動軸43は、コード口カバー23の幅方向両側に両端部が突出し、これら両端部が、図示しない円形状の嵌合凹部にそれぞれ回動可能に嵌合している。
【００２３】
ここで、嵌合凹部は、掃除機本体１の本体上ケース11の幅方向の電動送風機２と反対側の内側面部と、電動送風機２およびコードリール14の間に位置した隔壁45とにそれぞれ設けられている。
【００２４】
また、回動軸43の軸方向の一端部である電動送風機２側の端部には、図１および図３に示すように、位置復帰部材としてのトーションばね46が同軸状に取り付けられている。このトーションばね46は、傾斜曲面部34に切り欠き形成された嵌合孔部47に嵌合している。また、このトーションばね46は、隔壁45に設けられた図示しない一対の固定リブの間に軸方向の一端部である電動送風機２側の端部が挟持されて固定され、軸方向の他端部がコード口カバー23の傾斜曲面部34の下部に固定されている。
【００２５】
そして、このトーションばね46は、コード口カバー23の上方向の回動の際には下方向に、コード口カバー23の下方向への回動の際には上方向に、それぞれコード口カバー23を付勢し、コード口カバー23が掃除機本体１に対して回動した際に、所定位置、すなわち後端開口35およびコード引出口36が水平となる位置へと、コード口カバー23を復帰させるものである。
【００２６】
さらに、後端開口35の周縁部には、全体に亘ってフランジ部48が外方に突設されている。このフランジ部48は、引出部取付口21の開口面よりも後側に位置している。
【００２７】
また、コード引出口36は、電源コード13のプラグ部38の外側部よりも外周縁部が小さく形成されている。なお、コード引出口36は、通常の状態では前後方向に沿って開口形成されており、電源コード13の巻き取りの際にプラグ部38が跳ね上がることを防止する。
【００２８】
電源コード13は、図示しない電線を例えば塩化ビニルなどの合成樹脂で被覆して細長く形成されている。
【００２９】
コードリール14は、掃除機本体１の幅方向に沿って軸方向を有する略円柱状に設けられ、外周面に電源コード13が巻回されている。また、このコードリール14は、前後方向に沿って回転可能に設けられ、図示しないぜんまいばねにより電源コード13の巻き取り方向に付勢されている。そして、このコードリール14は、掃除機本体１の本体上ケース11の上部に設けられた巻取ボタン49を操作することでぜんまいばねの付勢により電源コード13を巻き取って掃除機本体１内に収容可能である。
【００３０】
巻取ボタン49は、掃除機本体１の本体上ケース11に対して回動可能に設けられ、掃除機本体１に対する回動により本体上ケース11の上方に突出して掃除機本体１を持ち運び可能にする取手ともなるものである。
【００３１】
次に、上記第１の実施の形態の動作を説明する。
【００３２】
掃除の際には、作業者が電源コード13のプラグ部38近傍を把持し、電源コード13を掃除機本体１から引き出す。
【００３３】
このとき、作業者は、電源コード13を掃除機本体１の後方に向けて上方向へと傾斜して引き出す。
【００３４】
すると、電源コード13の外側部がコード口カバー23の後端開口35に接触することで、コード口カバー23が回動軸43を中心として上方向に回動し、コード引出口36の開口方向が電源コード13の引き出し方向に追従して上方向に傾斜し、電源コード13の引き出し方向が変化する。
【００３５】
同時に、電源コード13の外側部は、回転部材42に接触し、この回転部材42が回転することで、電源コード13が円滑に送り出される。
【００３６】
そして、電源コード13の引き出しを停止すると、トーションばね46によりコード口カバー23が所定位置に復帰する。
【００３７】
この後、作業者は、図示しない壁面などに設けられたコンセントに電源コード13のプラグ部38を接続し、所定の設定ボタン６を操作して電動送風機２を駆動させ、把持部７を把持して床ブラシ９を床面上で前後に走行させて床面上の塵埃を吸い込んで掃除する。
【００３８】
また、掃除が終了した際には、プラグ部38をコンセントから取り外し、巻取ボタン49を作業者が操作することでぜんまいばねの付勢によりコードリール14が前方向へと回動し、電源コード13がコードリール14の外周部に巻き取られる。
【００３９】
上述したように、上記第１の実施の形態では、電源コード13を掃除機本体１の外部に引き出し可能にするコード引出口36を備えたコード口カバー23を、掃除機本体１に対して電源コード13の引き出し方向が変化可能とする構成とした。
【００４０】
より具体的には、コード口カバー23が、掃除機本体１に対して電源コード13の引き出し方向に追従して回動し、コード引出口36の開口方向が電源コード13の引き出し方向に向く構成とした。
【００４１】
この結果、電源コード13の掃除機本体１からの引き出しの際の電源コード13とコード引出口36の縁部との磨耗を抑制できる。
【００４２】
特に、コード口カバー23は、電源コード13の被覆を傷つけないように、摩擦により比較的溶けやすいＡＢＳなどの合成樹脂で形成されることが多いため、電源コード13とコード引出口36との摩擦を抑制することにより、コード引出口36の磨耗を確実に抑制できる。
【００４３】
また、回動軸43を嵌合凹部に回動可能に嵌合させるだけの比較的簡単な構成で電源コード13の引き出し方向を変化させることができるので、構成を簡略化でき、製造性を向上できるとともに、製造コストをも抑制できる。
【００４４】
さらに、コード引出口36の縁部に回転部材42を回転自在に設けることで、電源コード13の引き出しおよび巻き取りの際の、コード引出口36の縁部と電源コード13との摩擦を低減し、電源コード13の磨耗を、より確実に抑制できる。
【００４５】
そして、コード口カバー23の回動軸43を回転部材42と一体に設けることで、これら回動軸43と回転部材42とをそれぞれ別個に設ける場合と比較して、コード口カバー23の構成を簡略化でき、このコード口カバー23を小型化することも可能になる。
【００４６】
また、コードリール14による電源コード13の巻き取りの際に、トーションばね46によりコード口カバー23を所定位置に復帰させることで、電源コード13を巻き取る際に、電源コード13がコード引出口36に対して略一定に水平方向から巻き取られるため、巻き取りの際に電源コード13がコードリール14で絡み付くことを防止できる。
【００４７】
しかも、電気掃除機では、電源コード13をコードリール14のぜんまいばねなどで比較的勢いよく巻き取るため、コード引出口36の開口方向を予め後斜め上方向に向けて設けると、電源コード13の巻き取りの際にプラグ部38が跳ね上がるおそれがある。このため、電源コード13の引き出しの際にのみコード口カバー23が回動してコード引出口36の開口方向が上方向を向き、巻き取りの際には水平方向に向くようにすることで、電源コード13を引き出しやすく、かつ巻き取りの際にはプラグ部38が跳ね上がることを防止し、使い勝手を向上できる。
【００４８】
さらに、コード口カバー23の上面部32に閉塞板部37を設けることで、コード口カバー23を掃除機本体１に対して回動させても掃除機本体１の内部が引出部取付口21の上部から外部に露出せず、塵埃などが掃除機本体１に入り込むことを防止できる。
【００４９】
そして、コード口カバー23を、掃除機本体１の後部の上側寄りの位置に設けることで、電源コード13を掃除機本体１に対して引き出しおよび巻き取りし易いとともに、この電源コード13の巻き取りの際に電源コード13のプラグ部38が床面などに当たって跳ね上がることを防止できる。
【００５０】
次に、第２の実施の形態を図５を参照して説明する。なお、上記第１の実施の形態と同様の構成および作用については、同一符号を付してその説明を省略する。
【００５１】
コード口カバー23の傾斜曲面部34の前端部には、回動軸43に代えて、規制軸51が回転部材42と一体に設けられている。この規制軸51は、掃除機本体１の本体上ケース11の幅方向の電動送風機２と反対側の内側面部および隔壁45に設けられた案内部としてのガイドリブ52に摺動すなわちスライド可能、かつ回動可能に嵌合し、コード口カバー23の掃除機本体１に対するスライドを規制している。
【００５２】
これらガイドリブ52は、後側から前側に向けて上方向に円弧状に傾斜しており、規制軸51の外側部を囲む扇形状に設けられている。さらに、これらガイドリブ52は、側面視でコードリール14の後部から上部近傍に亘って設けられ、中心角が例えば約９０°となっている。すなわち、これらガイドリブ52は、約１／４円弧状に設けられている。そして、これらガイドリブ52は、コード口カバー23の上下方向へのスライドをガイドするとともに、コード口カバー23の回動の際の軸受となるものである。
【００５３】
そして、作業者が電源コード13を掃除機本体１の後方に向けて引き出すと、規制軸51がガイドリブ52に沿って下方にスライドしてコード口カバー23が下方にスライドしつつ、コード口カバー23が規制軸51を中心として上方向に回動し、コード引出口36の開口方向が電源コード13の引き出し方向に追従して上方向に傾斜し、電源コード13の引き出し方向が変化し、上記第１の実施の形態と同様の作用効果を奏することができる。
【００５４】
また、コード口カバー23を掃除機本体１に対して上下方向にスライド可能とすることで、コード口カバー23の可動範囲を上下方向に大きくでき、電源コード13の引き出しにコード口カバー23を、より確実に追従させることができる。
【００５５】
なお、上記第２の実施の形態において、コード口カバー23の上部あるいは下部などに位置復帰部材としてのコイルばねなどを設け、コード口カバー23が掃除機本体１に対してスライドした際にコード口カバー23を所定位置に復帰させる構成とすることも可能である。
【００５６】
また、ガイドリブ52は、コード口カバー23を設ける位置などに応じた電源コード13の引き出し方向に対応させ、この引き出し方向に追従するように設ければ、上記第２の実施の形態の構成に限定されない。
【００５７】
さらに、上記各実施の形態において、コード口カバー23は、電源コード13の引き出しの際に電源コード13の引き出し方向が変化すれば、他の様々な構成が可能である。
【００５８】
そして、コード口カバー23に、回動軸43あるいは規制軸51に代えて溝部を設け、掃除機本体１内にこの溝部に嵌合する突出部を設けて、これら溝部と突出部との嵌合によりコード口カバー23を掃除機本体１に対して回動、あるいはスライド可能とする構成も可能である。
【００５９】
また、コード口カバー23は、掃除機本体１の本体下ケース12の後部の下部に設けられている構成も可能である。この場合には、コード口カバー23の上方向への回動角度を、より大きくできるので、使い勝手をより向上できる。
【００６０】
さらに、コード口カバー23は、ユニバーサルジョイントなどを用いて掃除機本体１に対して複数の回動軸方向を有するようにしてもよい。
【００６１】
そして、コード口カバー23の所定位置は、コード引出口36の開口方向が水平方向に対して下方に傾斜する位置でもよい。
【００６２】
また、コード口カバー23を、例えば左右方向に回動、あるいはスライドするように構成することで、いわゆるスティック型の電気掃除機などにも適用することが可能である。
【図面の簡単な説明】
【００６３】
【図１】本発明の第１の実施の形態の電気掃除機の一部を示す縦断面図である。
【図２】同上電気掃除機の掃除機本体の後部を示す斜視図である。
【図３】同上掃除機本体の後部を示す斜視図である。
【図４】同上電気掃除機を示す斜視図である。
【図５】本発明の第２の実施の形態の電気掃除機の一部を示す縦断面図である。
【符号の説明】
【００６４】
１    掃除機本体
２    電動送風機
13    電源コード
14    巻取部としてのコードリール
23    コード引出部としてのコード口カバー
36    コード引出口
42    回転部材
43    回動軸
46    位置復帰部材としてのトーションばね
51    規制軸
【図１】
2005137483.tif 000003
【図２】
2005137483.tif 000004
【図３】
2005137483.tif 000005
【図４】
2005137483.tif 000006
【図５】
2005137483.tif 000007